(57)【要約】【課題】切破した収納袋を確実に排出して破袋作業を効率的に実施し得、外寸が小さな収納袋であっても確実に切破することができ、外寸が大きい収納物を可及的に破損させることなく排出することができる破袋機を提供する。【解決手段】側面視が台形状の複数の歯部を適宜の間隔で外周面に突設してなる厚板状の送り歯５による収納物Ｂの送り力によって案内板１２が機体１の後壁側へ後退して案内板１２と送り歯５との間隙が拡大し、当該収納物Ｂの通過後、案内板１２は元の姿勢に復帰する。案内板１２の各スリット１２ａから、収納袋Ｆを切破する破袋爪２１，２１，…の先端部が、斜め上方を向く姿勢で退進可能に突出させてある。【選択図】図２
2006175374.tif 000002
【特許請求の範囲】
【請求項１】
収納物を収納した収納袋を投入する投入口と、切破した収納袋及びその収納物を排出する排出口との間を連通させてなる機体と、この機体内の前記投入口と排出口との間の適宜位置に横架させた回転軸と、回転軸にその軸長方向へ距離を隔てて外嵌させてなり、収納袋を前記排出口へ送る複数の送り歯と、各送り歯で送られる収納袋を案内すべく、各送り歯から所定距離を隔てて各送り歯に対向する位置に、各送り歯から離隔する方向へ揺動可能に軸支してあり、各送り歯と位置を異ならせて複数のスリットが開設してある案内板と、離隔する方向へ揺動した案内板を元の姿勢に復帰させるべく付勢する付勢部材と、前記案内板と前記各送り歯との間隙内を前記排出口へ収納袋を送らせるように前記回転軸を回転駆動する回転駆動部と、収納袋を切破する先端部を前記案内板の各スリットからそれぞれ突出させてなる複数の破袋爪と、各破袋爪を対応するスリット内へ退入させ、元の位置へ前進させる進退駆動部とを備えることを特徴とする破袋機。
【請求項２】
相隣る各送り歯の間隙内にそれぞれ、切破された収納袋を脱離させる脱離部材が挿入してある請求項１記載の破袋機。
【請求項３】
前記進退駆動部は、各破袋爪を適当な時間間隔で退進駆動するようにしてある請求項１又は２記載の破袋機。
【発明の詳細な説明】
【技術分野】
【０００１】
本発明は、収納袋とその収納物とを分離すべく収納袋を破く破袋機に関する。
【背景技術】
【０００２】
ビン・カン等の廃棄物を廃棄処理する場合、各廃棄物を分別するために、廃棄物を収納した収納袋を切破して、収納袋から廃棄物を放出させる破袋機が開発されている。
【０００３】
図４は、後記する特許文献１に開示された破袋機の正断面図であり、図中、６１は、直方体殻状の機体である。機体６１上部の一側壁がわの角部は欠切して開口にしてあり、この開口の上下縁から機体６１内へそれぞれ上下仕切り板６２ａ，６２ｂを斜め下方へ延設固定して、収納袋Ｆを投入するホッパ６２が形成してある。ホッパ６２の内部であって、当該ホッパ６２の排出口６２ｃより少し上側の位置には、機体６１の前後壁間に掛け渡した回転軸６４が、機体６１の底面と平行に枢支してあり、該回転軸６４は、図示しない駆動部によって矢符で示した如く、上仕切り板６２方向へ回転駆動されるようになっている。
【０００４】
回転軸６４には、それぞれ２枚の三日月形刃を軸対象に設けてなり、ホッパ６２内に投入された収納袋Ｆを排出口６２ｃへ送ると共に収納袋Ｆを切破する複数の第１板状刃体６５（，６５，…）が、回転軸６４の軸長方向へ適宜の距離を隔てて外嵌固定してあり、前記ホッパ６２の下仕切り板６２ｂと第１板状刃体６５（，６５，…）との間には僅かな間隙が、一方、上仕切り板６２ａと第１板状刃体６５（，６５，…）との間にはそれより大きい間隙が設けてある。
【０００５】
機体６１内の天井近傍の位置には、枢軸６３が機体６１の前後壁間に掛け渡してあり、該枢軸６３には、フック形状の頭部６７（，６７，…）を設けてなり、頭部６７（，６７，…）先端部分にて収納袋Ｆを切破する複数の第２板状刃６６（，６６，…）の基端部が回動自在に、枢軸６３の軸長方向へ距離を隔てて取付けてある。前述した上仕切り板６２ａの下端近傍には複数のスリットが、上仕切り板６２ａの前記第１板状刃体６５（，６５，…）の対向部分と位置を異ならせて開設してあり、各スリットからホッパ６２内へ、第２板状刃６６（，６６，…）の頭部６７（，６７，…）の先端部分がそれぞれ突出させてある。第２板状刃６６（，６６，…）と機体６１の他側壁との間には、第２板状刃６６（，６６，…）を進退駆動するシリンダ６８が介装してあり、シリンダ６８は第２板状刃６６（，６６，…）を、ホッパ６２内に突出した頭部６７（，６７，…）先端部分が各スリット内へ退入する位置まで後退させ、その姿勢でロックし得るようになっている。
【０００６】
前述したホッパ６２の下方には、ホッパ６２の排出口６２ｃから排出された収納袋Ｆ及びその収納物を機体６１から搬出する搬出コンベア７０の一側部が前記排出口６２ｃに臨ませて配設してあり、搬出コンベア７０の他側部は、機体６１の他側壁に開設した開口から外へ延出させてある。
【０００７】
このような破袋機では、駆動部によって回転軸６４及び第１板状刃体６５（，６５，…）を回転駆動させておき、この第１板状刃体６５（，６５，…）によって、ホッパ６２内に投入された収納袋Ｆをホッパ６２の排出口６２ｃへ送り、排出口６２ｃ近傍位置に突出させた第２板状刃６６（，６６，…）の頭部６７（，６７，…）先端部分及び第１板状刃体６５（，６５，…）によって収納袋Ｆを切破することによって、収納袋Ｆから収納物を放出させ、ホッパ６２の排出口６２ｃから排出された収納袋Ｆ及び収納物を搬出コンベア７０によって機体  の外へ搬出する。
【０００８】
このとき、第１板状刃６５（，６５，…）と第２板状刃６６（，６６，…）の頭部６７（，６７，…）先端部分との間で、収納袋Ｆの詰まりが生じた場合、シリンダ６８を作動させて第２板状刃６６（，６６，…）を、ホッパ６２内に突出した頭部６７（，６７，…）先端部分が上部仕切り板６２ａの各スリット内へ退入する位置まで後退させて、その位置でロックさせることによって、詰まった収納袋Ｆの払い出しを行なうようになっていた。
【特許文献１】特開平６−１７０２６５号公報（図１）
【発明の開示】
【発明が解決しようとする課題】
【０００９】
しかしながら、このような従来の破袋機にあっては、第１板状刃体６５（，６５，…）は２枚の雲形刃を軸対象に設けてなるため、切破された収納袋Ｆが第１板状刃６５（，６５，…）に絡み付く場合も多く発生し、そのような場合は、第１板状刃体６５（，６５，…）の回転駆動を停止して、作業員が第１板状刃６５（，６５，…）から収納袋Ｆを除去しなければならず、破袋作業を効率的に実施することができないという問題があった。
【００１０】
また、外寸が小さな収納袋Ｆでも確実に切破すべく、第１板状刃６５（，６５，…）と第２板状刃６６（，６６，…）との間隔を比較的狭く設定した場合、外寸が大きい収納物が第１板状刃６５（，６５，…）と第２板状刃６６（，６６，…）との間に詰まり、第１板状刃６５（，６５，…）、第２板状刃６６（，６６，…）及び第１板状刃６５（，６５，…）の駆動部に破損・故障が生じる虞があった。また、当該収納物がビンである場合は、当該収納物が破損して、後処理である分別作業に困難を来たしていた。一方、外寸が大きい収納物でも確実にホッパ６２から排出させるべく、第１板状刃６５（，６５，…）と第２板状刃６６（，６６，…）との間隔を比較的広く設定した場合、外寸が小さな収納袋Ｆが切破されずにホッパ６２から排出されてしまう場合が生じるという問題もあった。
【００１１】
本発明は、斯かる事情に鑑みてなされたものであって、切破した収納袋を確実に排出して破袋作業を効率的に実施し得る一方、外寸が小さな収納袋であっても確実に切破することができると共に、外寸が大きい収納物を可及的に破損させることなく排出することができる破袋機を提供する。
【課題を解決するための手段】
【００１２】
請求項１記載の本発明は、収納物を収納した収納袋を投入する投入口と、切破した収納袋及びその収納物を排出する排出口との間を連通させてなる機体と、この機体内の前記投入口と排出口との間の適宜位置に横架させた回転軸と、回転軸にその軸長方向へ距離を隔てて外嵌させてなり、収納袋を前記排出口へ送る複数の送り歯と、各送り歯で送られる収納袋を案内すべく、各送り歯から所定距離を隔てて各送り歯に対向する位置に、各送り歯から離隔する方向へ揺動可能に軸支してあり、各送り歯と位置を異ならせて複数のスリットが開設してある案内板と、離隔する方向へ揺動した案内板を元の姿勢に復帰させるべく付勢する付勢部材と、前記案内板と前記各送り歯との間隙内を前記排出口へ収納袋を送らせるように前記回転軸を回転駆動する回転駆動部と、収納袋を切破する先端部を前記案内板の各スリットからそれぞれ突出させてなる複数の破袋爪と、各破袋爪を対応するスリット内へ退入させ、元の位置へ前進させる進退駆動部とを備えることを特徴とする破袋機を提供する。
【００１３】
請求項２記載の本発明は、更に、相隣る各送り歯の間隙内にそれぞれ、切破された収納袋を脱離させる脱離部材が挿入してあることを特徴とする破袋機を提供する。
【００１４】
請求項３記載の本発明は、前記進退駆動部は、各破袋爪を適当な時間間隔で退進駆動するようにしてあることを特徴とする破袋機を提供する。
【発明の効果】
【００１５】
請求項１記載の本発明では、破対機は、収納物を収納した収納袋を投入する投入口と、切破した収納袋及びその収納物を排出する排出口との間を連通させてなる機体と、この機体内の前記投入口と排出口との間の適宜位置に横架させた回転軸と、回転軸にその軸長方向へ距離を隔てて外嵌させてなり、収納袋を前記排出口へ送る複数の送り歯と、各送り歯で送られる収納袋を案内すべく、各送り歯から所定距離を隔てて各送り歯に対向する位置に、各送り歯から離隔する方向へ揺動可能に軸支してあり、各送り歯と位置を異ならせて複数のスリットが開設してある案内板と、離隔する方向へ揺動した案内板を元の姿勢に復帰させるべく付勢する付勢部材と、前記案内板と前記各送り歯との間隙内を前記排出口へ収納袋を送らせるように前記回転軸を回転駆動する回転駆動部と、収納袋を切破する先端部を前記案内板の各スリットからそれぞれ突出させてなる複数の破袋爪と、各破袋爪を対応するスリット内へ退入させ、元の位置へ前進させる進退駆動部とを備えている。
【００１６】
従って、ビン・カン等の収納物を収納した収納袋が投入口から機体内へ投入されると、その収納袋は回転軸に外嵌させた複数の送り歯によって、案内板と各送り歯との間隙を排出口へ送られる。この案内板と送り歯との間隙は、比較的外寸が小さい収納袋でも確実に切破し得る寸法にしておく。このとき、外寸が大きい収納物を収納した収納袋が投下された場合であっても、当該収納物が送り歯の送り力によって案内板に圧接した場合、案内板を付勢している付勢部材に抗して案内板と送り歯との間隙が拡大するので、収納袋は収納物に破損が生じることなく前記間隙を通過することができる。
【００１７】
一方、かかる収納袋が通過すると、付勢部材の付勢によって案内板が元の姿勢に復帰するので、比較的外寸が小さい収納袋でも確実に切破することができる。
【００１８】
案内板に開設した各スリットからそれぞれ破袋爪の先端部が突出させてあり、送り歯によって前記間隙内を送られた収納袋は、各破袋爪の先端部によって切破され、この収納袋及び収納袋から放出された収納物が排出口から機体外へ排出される。その際、収納物たるビン・ペットボトル等が送り歯で送られる場合、それらに貼着されたラベル等が破袋爪の先端部に引っ掛かるので、ラベル等の大部分が破袋爪の先端部によって削取される。
【００１９】
また、送り歯では収納袋を切破しない一方、切破された収納袋が破袋爪の先端部に絡み付いた場合であっても、進退駆動部によって破袋爪がスリット内に退入されて、当該収納袋は案内板によって濾され、破袋爪から脱離されるので、切破された収納袋を除去すべく破袋動作を中断することなく、連続的に行なわせることができ、破袋作業を効率的に実施することができる。
【００２０】
請求項２記載の本発明では、相隣る各送り歯の間隙内にそれぞれ、切破された収納袋を脱離させる脱離部材が挿入してあるため、切破された収納袋が、相隣る送り歯の間に嵌入した場合であっても、そのような収納袋は送り歯の回転に伴って脱離部材に当接し、脱離部材によって送り歯の間から脱離除去される。
【００２１】
請求項３記載の本発明では、進退駆動部は、各破袋爪を適当な時間間隔で退進駆動するようにしてあるため、切破された収納袋が各破袋爪に過剰に絡み付く前に、破袋爪から収納袋を脱離させることができる。これによって、オペレータによって各破袋爪を退進駆動させる必要がないため、破袋作業をより効率的に実行することができる一方、破袋爪の先端部によるラベル等の削取能の低下が防止される。
【発明を実施するための最良の形態】
【００２２】
本発明に係る破袋機は、収納物を収納した収納袋を投入する投入口と、切破した収納袋及びその収納物を排出する排出口との間を連通させてなる機体内の前記投入口と排出口との間の適宜位置に回転軸が横架させてあり、この回転軸に収納袋を前記排出口へ送る複数の送り歯が、回転軸の軸長方向へ距離を隔てて外嵌させてある。また、機体内には、各送り歯で送られる収納袋を案内する案内板が、各送り歯から所定距離を隔てて各送り歯に対向する位置に、各送り歯から離隔する方向へ揺動可能に軸支してあり、この案内板には、各送り歯と位置を異ならせて複数のスリットが開設してある。
【００２３】
また、案内板には、離隔する方向へ揺動した案内板を元の姿勢に復帰させるべく付勢する付勢部材が連結してある。前述した回転軸を回転駆動する回転駆動部は、案内板と各送り歯との間隙内を前記排出口へ収納袋を送らせるようにしてあり、複数の破袋爪が、収納袋を切破する先端部を前記案内板の各スリットからそれぞれ突出させてある。そして、進退駆動部は、各破袋爪を対応するスリット内へ退入させ、再び元の位置へ前進させるようにしてある。
【００２４】
また、相隣る各送り歯の間隙内にそれぞれ、切破された収納袋を脱離させる脱離部材が挿入してある。
【００２５】
更に、前述した進退駆動部は、各破袋爪を適当な時間間隔で後退・前進させる退進駆動するようにしてある。
【００２６】
次に、本発明に係る破袋機を図面に基づいて詳述する。
【００２７】
図１及び図２は、本発明に係る破袋機を示す正面断面図及び側断面図であり、また、図３は、図２に示した破袋機のＩＩＩ−ＩＩＩ線による断面図である。図１〜図３に示した如く、破袋機Ａは、複数の支持柱を櫓状に組んでなる支持台４０内に矩形筒状の機体１を、支持台４０の接地位置から適宜距離を隔てて固定してなり、機体１の上部開口２縁には、収納物Ｂを収納した収納袋Ｆを投入するためのホッパ３０が連結してある。
【００２８】
機体１内には、機体１の幅と略同じ幅を有し、機体１の正面壁上縁から、機体１の奥行き方向の中央位置近傍であって、機体１の高さ方向の中央位置より適宜寸法上方の位置まで延設してなり、機体１内の上部領域を前後に仕切る仕切り板１１が設けてあり、この仕切り板１１の下縁から少し下方の位置には回転軸４が、その両端部を機体１の両側壁から突出させた様態で横架してある。
【００２９】
回転軸４の両端部は軸受６，６によって回転自在に支持されており、回転軸４の一端には受動スプロケット８が外嵌固定してある。支持台４０の前記受動スプロケット８の近傍にはモータ１３が取付けてあり、該モータ１３の出力軸に外嵌させた駆動スプロケット１４及び前記受動スプロケット８に環状のチェーン９を掛け回し、モータ１３によって回転軸４を回転駆動するようにしてある。
【００３０】
回転軸４には、側面視が台形状の複数の歯部を適宜の間隔で外周面に突設してなる複数の厚板状の送り歯５，５，…が所定の間隔で外嵌してあり、ホッパ３０から機体１内に落下した収納袋Ｆは送り歯５，５，…によって、機体１の後壁から機体１の排出口３へ送られる。これら送り歯５，５，…は、例えば送り歯５，５，…の中心線上で２分割してなる一対の部材で構成して、回転軸４に着脱可能に固定してある。
【００３１】
機体１内の後壁側には、前記仕切り板１１の下縁の高さ位置から、前記送り歯５，５，…の下縁より少し下方の高さ位置に亘り、機体１の幅と略同じ幅を有し、側断面視が略し形の案内板１２が、送り歯５，５，…から所定距離を隔てて配設してあり、送り歯５，５，…によって送られた収納袋Ｆは案内板１２に当接し、案内板１２に沿って機体１の排出口３方向へ案内される。この案内板１２は、機体１の後壁であって、案内板１２の上縁近傍に対向する部分に横架した枢軸１５，１５によって、揺動自在に支持されており、これによって案内板１２と送り歯５，５，…との間隙が拡縮し得るようになっている。
【００３２】
また、前記枢軸１５，１５より下方の高さ位置であって、案内板１２と機体１の後壁との間には、案内板１２を送り歯５，５，…側へ付勢する複数（本実施の形態では２個）のバネ２０，２０が介装してあり、送り歯５，５，…によって送られる収納袋Ｆに大きなサイズの収納物Ｂが収納されている場合、送り歯５，５，…の送り力によって案内板１２が機体１の後壁側へ後退して案内板１２と送り歯５，５，…との間隙が拡大し、当該収納物Ｂの通過後は、元の姿勢に復帰して案内板１２と送り歯５，５，…との間隙が縮小するようになしてある。
【００３３】
案内板１２の下縁側の領域には、縦に長い複数のスリット１２ａ，１２ａ，…が前述した送り歯５，５，…と位置を異ならせて開設してあり、各スリット１２ａ，１２ａ，…からそれぞれ、収納袋Ｆを切破すべく、側面視が略三角形をなした薄板状の破袋爪２１，２１，…の一頂点部分たる先端部が、斜め上方を向く姿勢で突出させてある。各破袋爪２１，２１，…の基端部側であって上位頂点部分及び下位頂点部分にはそれぞれ、破袋爪２１，２１，…を支持する第１支持軸３１及び第２支持軸３２が貫通させてあり、第１支持軸３１は、機体１に固定してある。
【００３４】
前述した支持台４０の機体１の後壁に対向する部分であって、前記破袋爪２１，２１，…より少し下の高さ位置には、油圧又は空圧で進退駆動するシリンダ２２，２２が取付けてあり、シリンダ２２，２２のロッド２３，２３は、機体１の後壁に開設した貫通孔内を挿通させて機体１内へ延出させてある。このロッド２３，２３の先端に前記第２支持軸３２が連結具を介して連結してあり、シリンダ２２，２２によってロッド２３，２３が後退した場合、図２中に一点鎖線で示した如く、破袋爪２１，２１，…の先端部が案内板１２の各スリット１２ａ，１２ａ，…内へ退入するようになっている。
【００３５】
一方、機体１の前壁であって、前述した回転軸４と略同じ高さ位置には、切破された収納袋Ｆが前記送り歯５，５，…及びそれらの間に絡み付くのを防止すべく、相隣る送り歯５，５の間の寸法より僅かに狭い幅寸法の帯板を略く字形に屈曲させてなるスクレーパ７，７，…の基端が固定してあり、各スクレーパ７，７，…の先端部は、各送り歯５，５，…の間隙内であって回転軸４の近傍に位置させてある。
【００３６】
かかる破袋機Ａの機体１の排出口３に臨ませて、例えばベルトコンベアを用いてなる搬送装置５０が配設されるようになっており、破袋機Ａによって切破された収納袋Ｆ及びその収納物Ｂは、機体１の排出口３から搬送装置５０上へ落下し、該搬送装置５０によって搬出されるようになっている。
【００３７】
このような破袋機Ａにあっては、モータ１３によって回転軸４を回転駆動させて、図２中矢符で示した如く、送り歯５，５，…を機体１の前壁側から後壁側へ回転させておくと共に、シリンダ２２，２２によってロッド２３，２３を例えば１０秒間隔で退進駆動させ、案内板１２の各スリット１２ａ，１２ａ，…から突出させた破袋爪２１，２１，…の先端部を間欠的にスリット１２ａ，１２ａ，…内へ退入させる動作をさせておく。
【００３８】
ビン・カン等の収納物Ｂを当該収納物Ｂを収納した収納袋Ｆがホッパ３０に投入されると、その収納袋Ｆは、直接又は仕切り板１１に当接して送り歯５，５，…上に落下し、該送り歯５，５，…によって、案内板１２と送り歯５，５，…との間隙内を案内板１２で案内されつつ排出口３方向へ送られる。この案内板１２と送り歯５，５，…との間隙は、比較的外寸が小さい収納袋Ｆでも確実に切破し得る寸法にしてある。このとき、外寸が大きい収納物Ｂを収納した収納袋Ｆが投下された場合であっても、当該収納物Ｂが送り歯５，５，…の送り力によって案内板１２に圧接して、案内板１２を付勢しているバネ２０，２０が収縮して案内板１２と送り歯５，５，…との間隙が拡大するので、収納袋Ｆは収納物Ｂに破損が生じることなく前記間隙を通過することができる。
【００３９】
一方、かかる収納物Ｂが通過すると、バネ２０，２０の付勢によって案内板１２が元の姿勢に復帰して、案内板１２と送り歯５，５，…との間隙が元に戻るので、比較的外寸が小さい収納袋Ｆでも確実に切破することができる。
【００４０】
案内板１２と送り歯５，５，…との間隙の下流位置には、前述した如く破袋爪２１，２１，…の先端部が突出させてあり、送り歯５，５，…によって前記間隙内を送下された収納袋Ｆは、破袋爪２１，２１，…の先端部によって切破され、この収納袋Ｆ及び当該収納袋Ｆから放出された収納物Ｂが排出口３から機体１の下方へ落下する。
【００４１】
この際、収納物Ｂたるビン・ペットボトルは、案内板１２と送り歯５，５，…との間隙内で拘束された状態で送下されるため、ビン・ペットボトルの周面に貼着されたラベル等とビン・ペットボトルの周面との間に破袋爪２１，２１，…の先端部に進入し、ラベル等の大部分が削取される。
【００４２】
ところで、切破された収納袋Ｆが破袋爪２１，２１，…の先端部に絡み付いた場合であっても、前述した如く、破袋爪２１，２１，…が間欠的にスリット１２ａ，１２ａ，…内に退入するため、当該収納袋Ｆは案内板１２によって濾され、破袋爪２１，２１，…から脱離される。
【００４３】
一方、送り歯５，５，…の歯部は、厚板を側面視が台形状に成形してなるため、切破された収納袋Ｆが絡み付くことが可及的に回避される。
【００４４】
また、切破された収納袋Ｆが、相隣る送り歯５，５、５，５、…，…の間に嵌入する場合があるが、そのような収納袋Ｆは送り歯５，５，…の回転に伴ってスクレーパ７，７，…に当接し、スクレーパ７，７，…によって送り歯５，５、５，５、…，…の間から脱離除去されて、排出口３から機体１の下方へ落下する。
【図面の簡単な説明】
【００４５】
【図１】本発明に係る破袋機を示す正面断面図である。
【図２】本発明に係る破袋機を示す側断面図である。
【図３】図２に示した破袋機のＩＩＩ−ＩＩＩ線による断面図である。
【図４】特許文献１に開示された破袋機の正断面図である。
【符号の説明】
【００４６】
１      機体
４      回転軸
５      送り歯
６      軸受
７      スクレーパ
１１      仕切り板
１２      案内板
１２ａ    スリット
１５      枢軸
２０      バネ
２１      破袋爪
２２      シリンダ
３０      ホッパ
４０      支持台
５０      搬送装置
【図１】
2006175374.tif 000003
【図２】
2006175374.tif 000004
【図３】
2006175374.tif 000005
【図４】
2006175374.tif 000006